(57)【特許請求の範囲】
【請求項１】
下方に穀粒供給用のホッパーを有するとともに上部に貯留タンクを有する選別殻体を備え、該選別殻体内に選別網体および揚穀螺旋体を回転可能に同心状に配設し、該選別網体および揚穀螺旋体を相対回転させることにより前記ホッパーより供給される穀粒を揚穀する間にそれぞれ所望の粒径以上の整粒と所望の粒径以下の屑粒等とに選別して前記整粒を前記貯留タンクに貯留するとともに前記屑粒等を排出口シュートを介して機外へ排出するように構成された第１および第２の縦型選別機と、下方に２個の供給ホッパーを有しかつ上方を流路切換板を有する分岐管を介して貯留タンクと排出配管に連通する揚穀筒体を備え、該揚穀筒体内に穀粒を揚穀する揚穀手段を配設した揚穀機とからなり、
前記揚穀機の前記排出配管を前記第２の縦型選別機の前記ホッパーに関連付けるとともに、前記第１の縦型選別機の前記排出口シュートおよび前記貯留タンクの排出口を前記揚穀機の２個の供給ホッパーのいずれか一方にそれぞれ連結管等を介して選択的に連通することができるように関連付け、前記第１の縦型選別機と第２の縦型選別機を前記揚穀機を介して連結配置してなることを特徴とする穀粒等の三段選別機。
【請求項２】
前記第１の縦型選別機の前記排出口シュートを前記揚穀機の一方の供給ホッパーに関連付け、かつ前記揚穀機の前記分岐管の流路切換板を切り換えて前記揚穀筒体を前記排出配管に連通することにより、前記第１の縦型選別機において前記選別網体の選別孔に対応する所望の粒径以上の整粒と所望の粒径以下の屑粒等とに選別して前記整粒を前記貯留タンクに貯留するとともに前記屑粒等を前記排出口シュートを介して前記揚穀機に供給し、前記屑粒等を前記揚穀機にて揚穀して前記排出配管から前記第２の縦型選別機の前記ホッパーに供給し、前記第２の縦型選別機にて前記屑粒等をさらに選別して、前記穀粒を三段階に選別することができるように構成したことを特徴とする請求項１記載の穀粒等の三段選別機。
【請求項３】
前記第１の縦型選別機の前記貯留タンクの排出口を前記揚穀機の他方の供給ホッパーに連結管を介して連通し、かつ前記揚穀機の前記分岐管の流路切換板を切り換えて前記揚穀筒体を前記排出配管に連通することにより、前記第１の縦型選別機において前記選別網体の選別孔に対応して選別された所望の粒径以上の整粒を前記貯留タンクを介して前記揚穀機の他方の供給ホッパーに供給し、前記整粒を前記揚穀機にて揚穀して前記排出配管から前記第２の縦型選別機の前記ホッパーに供給し、前記第２の縦型選別機にて前記整粒をさらに選別して、前記穀粒を三段階に選別することができるように構成したことを特徴とする請求項１記載の穀粒等の三段選別機。
【請求項４】
前記第１および／または第２の縦型選別機は、前記選別殻体を立設する基台の中空部に開口された吸込口を有する排気室と、前記吸込口から前記基台内の空気を吸引して機外へ排気するための前記排気室に内設された排気ファンと、前記選別殻体内に配設されて前記排気室に連通する排塵ダクトとを備え、前記穀粒中に混在する異物を前記選別殻体内に配設した前記排塵ダクトを介して吸引し前記排気室に接続された排気ダクトを介して機外へ放出するようにし、さらに、選別された整粒中に混在する異物を分離除去するための排塵手段を前記貯留タンクに配設したことを特徴とする請求項１ないし３のいずれか１項に記載の穀粒等の三段選別機。
【請求項５】
前記第１および／または第２の縦型選別機は、前記排出口シュートに屑粒等に混在する異物を分離除去するための唐箕を付設してあることを特徴とする請求項１ないし４のいずれか１項に記載の穀粒等の三段選別機。
【請求項６】
前記第１の縦型選別機、前記揚穀機および前記第２の縦型選別機のそれぞれの貯留タンクの下方に計量器をそれぞれ設置してあることを特徴とする請求項１ないし５のいずれか１項に記載の穀粒等の三段選別機。
【発明の詳細な説明】
【０００１】
【発明の属する技術分野】
本発明は、米穀等の穀粒をその粒径に応じて比較的大径の穀粒とやや小さい中径の穀粒と未熟粒等の屑粒等の三段階に選別するとともにそれぞれの穀粒を処理する穀粒等の三段選別機に関するものである。
【０００２】
【従来の技術】
米穀等の穀粒を、粒径に応じて、整粒と未熟粒等の屑粒とに選別する穀粒選別機としては、図９に図示するような縦型選別機が一般的に知られている。
【０００３】
この種の縦型選別機は、周壁に多数の選別孔を穿設して円筒状に形成された選別網体１１２とこの選別網体１１２の内部に配設された揚穀螺旋体１１３とを回転しうるように殻体１０３の内部に立設し、選別網体１１２と揚穀螺旋体１１３を駆動源１１１により互いに逆方向へ相対回転させるように構成されており、ホッパー１０５から供給される穀粒は、選別網体１１２と揚穀螺旋体１１３の相対回転により上方へ揚穀されるとともに、選別網体１１２の選別孔よりも小径の穀粒は未熟粒等の屑粒として選別網体１１２から外方へ放出され、選別孔を通過し得ない粒径を有する穀粒は整粒として揚穀される。そして、整粒は掻出し羽根１１４により貯留タンク１０４側へ放出されて貯留タンク１０４内に貯留され、選別網体１１２の選別孔から放出された屑粒は、殻体１０３と選別網体１１２の外周面との間隙部を落下して下部仕切板１１５上に滞留され、その後、掻出し羽根１１６により排出口シュート１０６から機外へ放出されるように構成されている。
【０００４】
このような従来の縦型選別機において、選別網体１１２と揚穀螺旋体１１３の相対回転により選別され貯留タンク１０４に貯留される整粒は、貯留タンク１０４の排出口１０４ａの下方に設置された計量器１０９を用いて計量袋詰めが行なわれている。一方、選別網体１１２の選別孔より小さい粒径の小穀粒や未熟粒等の屑粒は、排出口シュート１０６から放出され、その下方に配置した適宜な袋や容器等に収納されている。
【０００５】
【発明が解決しようとする課題】
ところで、米穀等の穀粒は品質、等級あるいは用途等に応じてそれぞれ選別基準が定められており、縦型選別機における穀粒の選別基準は、選別網体の選別孔の網目サイズ（目幅）によって決定される。穀粒の品質や商品価値を高めるために選別する整粒の基準を厳しくすべく、選別孔の網目サイズ（目幅）の大きい選別網体を用いる場合がある。このような場合には、選別網体の選別孔の網目サイズが大きいために、選別孔を通過する小穀粒や屑粒が多量に生じることとなり、さらに、通常であれば十分に整粒として利用し処理できる小穀粒まで破砕粒や屑粒とともに一括して排出口シュートから機外へ排出されることとなる。このような場合、排出口シュートから機外へ排出される小穀粒や破砕粒等の屑粒は多量に排出されるけれども、従来の縦型選別機では、これらは計量することなく適当な容器や袋に単に収納されて処理されていた。
【０００６】
前述したように穀粒の品質や商品価値を高めるために選別孔の網目サイズの大きい選別網体を用いた場合、あるいは、通常の網目サイズの選別網体を用いた場合においても、選別網体の選別孔から放出され排出口シュートから機外へ排出される小穀粒を含む屑粒を、再度、前記選別網体より網目のやや小さい選別網体を用いた縦型選別機に投入し、これを前記の整粒よりもやや小径の穀粒ではあるものの小穀粒と屑粒とに再選別することも要求されている。
【０００７】
しかしながら、前述したように二度の選別を行なうためには、網目サイズが異なる選別網体を交換する必要がある。例えば、選別孔の網目サイズとして１．８５ｍｍの選別網体を用いて穀粒の選別を行なうと、整粒（１番口）としての１．８５ｍｍ以上の穀粒と、屑粒（２番口）として１．８５ｍｍ以下の小穀粒を含む屑粒が選別され、この１．８５ｍｍ以下の小穀粒を含む屑粒（２番口）を、例えば１．７０ｍｍ以上の小穀粒と１．７０ｍｍ以下の破砕粒等の屑粒とに選別する際には、網目サイズが１．８５ｍｍの選別網体を１．７０ｍｍ等の網目サイズの選別網体と交換して再選別する必要があった。このように、穀粒を比較的大径の整粒とやや小さい中径の整粒と屑粒の三段階に選別する際には、二度の選別と選別網体の交換を必要とし、準備作業に時間を要し、連続的にかつ効率良く三段階の選別作業を行なうことができなかった。また、米穀等の通常の選別により得られる屑米もその粒径に応じてそれぞれ各種の用途に利用することができ、屑米を集めてさらに選別を行ない、業務用食料米としての中米と煎餅等の米菓類の材料となる加工用米と味噌やビール用の原料米等に区分されている。このように屑粒クラスの屑米のみの三段階の選別を行なう際にも、選別網体の交換と二度の選別を必要とし、連続的にかつ効率良く三段階の選別作業を行なうことができなかった。
【０００８】
さらに、従来の縦型選別機においては、選別により排出口シュートから排出される屑粒等は、通常、供給される穀粒の５％〜１０％程度であるけれども、前記のような選別孔の網目サイズの大きい選別網体を用いた場合や再選別時においては、５０％以上が屑粒として排出されることとなり、従来の縦型選別機では、小穀粒を含む多量の屑粒をスムーズに排出することができないなど前記の要求に十分に対応できなかった。
【０００９】
そこで、本発明は、上記従来技術の有する問題点に鑑みてなされたものであって、米穀等の穀粒をその粒径に応じて比較的大径の穀粒とやや小さい中径の穀粒とその他の屑粒等の三段階に連続的にかつ効率良く選別するとともに、各穀粒をスムーズに処理することができる穀粒等の三段選別機を提供することを目的とするものである。
【００１０】
【課題を解決するための手段】
上記の目的を達成するために、本発明の穀粒等の三段選別機は、下方に穀粒供給用のホッパーを有するとともに上部に貯留タンクを有する選別殻体を備え、該選別殻体内に選別網体および揚穀螺旋体を回転可能に同心状に配設し、該選別網体および揚穀螺旋体を相対回転させることにより前記ホッパーより供給される穀粒を揚穀する間にそれぞれ所望の粒径以上の整粒と所望の粒径以下の屑粒等とに選別して前記整粒を前記貯留タンクに貯留するとともに前記屑粒等を排出口シュートを介して機外へ排出するように構成された第１および第２の縦型選別機と、下方に２個の供給ホッパーを有しかつ上方を流路切換板を有する分岐管を介して貯留タンクと排出配管に連通する揚穀筒体を備え、該揚穀筒体内に穀粒を揚穀する揚穀手段を配設した揚穀機とからなり、前記揚穀機の前記排出配管を前記第２の縦型選別機の前記ホッパーに関連付けるとともに、前記第１の縦型選別機の前記排出口シュートおよび前記貯留タンクの排出口を前記揚穀機の２個の供給ホッパーのいずれか一方にそれぞれ連結管等を介して選択的に連通することができるように関連付け、前記第１の縦型選別機と第２の縦型選別機を前記揚穀機を介して連結配置してなることを特徴とする。
【００１１】
本発明の穀粒等の三段選別機においては、前記第１の縦型選別機の前記排出口シュートを前記揚穀機の一方の供給ホッパーに関連付け、かつ前記揚穀機の前記分岐管の流路切換板を切り換えて前記揚穀筒体を前記排出配管に連通することにより、前記第１の縦型選別機において前記選別網体の選別孔に対応する所望の粒径以上の整粒と所望の粒径以下の屑粒等とに選別して前記整粒を前記貯留タンクに貯留するとともに前記屑粒等を前記排出口シュートを介して前記揚穀機に供給し、前記屑粒等を前記揚穀機にて揚穀して前記排出配管から前記第２の縦型選別機の前記ホッパーに供給し、前記第２の縦型選別機にて前記屑粒等をさらに選別して、前記穀粒を三段階に選別することができ、さらにまた、本発明の穀粒等の三段選別機においては、前記第１の縦型選別機の前記貯留タンクの排出口を前記揚穀機の他方の供給ホッパーに連結管を介して連通し、かつ前記揚穀機の前記分岐管の流路切換板を切り換えて前記揚穀筒体を前記排出配管に連通することにより、前記第１の縦型選別機において前記選別網体の選別孔に対応して選別された所望の粒径以上の整粒を前記貯留タンクを介して前記揚穀機の他方の供給ホッパーに供給し、前記整粒を前記揚穀機にて揚穀して前記排出配管から前記第２の縦型選別機の前記ホッパーに供給し、前記第２の縦型選別機にて前記整粒をさらに選別して、前記穀粒を三段階に選別することができる。
【００１２】
本発明の穀粒等の三段選別機においては、前記第１および／または第２の縦型選別機は、前記選別殻体を立設する基台の中空部に開口された吸込口を有する排気室と、前記吸込口から前記基台内の空気を吸引して機外へ排気するための前記排気室に内設された排気ファンと、前記選別殻体内に配設されて前記排気室に連通する排塵ダクトとを備え、前記穀粒中に混在する異物を前記選別殻体内に配設した前記排塵ダクトを介して吸引し前記排気室に接続された排気ダクトを介して機外へ放出するようにし、さらに、選別された整粒中に混在する異物を分離除去するための排塵手段を前記貯留タンクに配設することが好ましく、さらに、前記第１および／または第２の縦型選別機は、前記排出口シュートに屑粒等に混在する異物を分離除去するための唐箕を付設することが好ましい。
【００１３】
本発明の穀粒等の三段選別機においては、前記第１の縦型選別機、前記揚穀機および前記第２の縦型選別機のそれぞれの貯留タンクの下方に計量器をそれぞれ設置してあることが好ましい。
【００１４】
【作用】
本発明の穀粒等の三段選別機によれば、下方に相対向する２個の供給ホッパーを有しかつ上方を流路切換板を有する分岐管を介して貯留タンクと排出配管に連通する揚穀筒体を備えた揚穀機を介して、選別孔の網目サイズが異なる選別網体をそれぞれ装着した第１および第２の縦型選別機を連結し、第１の縦型選別機において、選別網体と揚穀螺旋体の相対回転により、最初の選別を行ない、そして、さらに選別する穀粒（所望の粒径以上の整粒または所望の粒径以下の小穀粒を含む屑粒等）を揚穀機に送り込み、該揚穀機においてその穀粒を揚穀して第２の縦型選別機に供給し、この第２の縦型選別機において、選別網体と揚穀螺旋体の相対回転により、前記穀粒の２度目の選別を行なうようにして、穀粒を粒径に応じて比較的大径の穀粒と大径の穀粒よりやや小さい中径の穀粒とそれ以下の屑粒等の三段階に、あるいは、屑米を中米と煎餅等の米菓類の加工用米と味噌やビール等の原料米の三段階に、連続して効率良く選別することができ、さらに、三段階に区分された穀粒はその穀粒中に混在する異物が分離除去されて各区分の穀粒の品質を向上させかつ適宜計量袋詰めするなど穀粒をスムーズに処理することができる。
【００１５】
【発明の実施の形態】
本発明の実施の形態を図面に基づいて説明する。
【００１６】
図１は本発明の穀粒等の三段選別機の一使用態様に基づく構成を概略的に図示する構成図であり、図２は同じく本発明の穀粒等の三段選別機の他の使用態様に基づく構成を概略的に図示する構成図である。
【００１７】
図１および図２において、本発明の穀粒等の三段選別機は、第１の縦型選別機Ａと第２の縦型選別機Ｃとの間に揚穀機Ｂを配置して構成されており、第１の縦型選別機Ａおよび第２の縦型選別機Ｃは、それぞれ選別孔の網目サイズが異なる選別網体が装着され、下方に配設されたホッパー（５５、５５ｘ）から供給される米穀等の穀粒をその粒径に応じて２種類に選別し、選別された粒径の大きい穀粒を揚穀して貯留タンク（５４、５４ｘ）に貯留するとともに粒径の小さい穀粒を排出口シュート（７３、７３ｘ）を介して機外へ排出するように構成され、揚穀機Ｂは、下方に相対向する２個の供給ホッパー（４、５）を備え、いずれかの供給ホッパー（４または５）から供給された穀粒を揚穀し、流路切換板（３３）を有する分岐管（３２）を介して揚穀された穀粒を貯留タンク（６）へ貯留しあるいは排出配管（３５）から機外へ移送することができるように構成されている。また、第１の縦型選別機Ａと第２の縦型選別機Ｃ、および揚穀機Ｂにそれぞれ設けられている貯留タンク（５４、５４ｘ、６）の下方には穀粒の計量袋詰めを行なうことができるように計量器が設置されている（なお、図１および図２には、揚穀機Ｂに付設された計量器（９）のみを図示し、第１および第２の縦型選別機Ａ、Ｃに付設された計量器は省略し図示していない。）。
【００１８】
すなわち、本発明の穀粒等の三段選別機においては、選別しようとする穀粒は、先ず、第１の縦型選別機Ａに投入される。第１の縦型選別機Ａにおいて、選別網体と揚穀螺旋体の相対回転により、最初の選別を行ない、そして、さらに選別する穀粒（粒径の大きい整粒または粒径の小さい穀粒を含む屑粒）を揚穀機Ｂに送り込み、揚穀機Ｂにおいてその穀粒を揚穀して、第２の縦型選別機Ｃに供給する。第２の縦型選別機Ｃにおいて、選別網体と揚穀螺旋体の相対回転により、供給された穀粒の２度目の選別を行なうようにして、穀粒を三段階に連続的に選別し、そして、三段階に選別された各穀粒をそれぞれ適宜計量袋詰めを行なうことができる。
【００１９】
以下、本発明の穀粒等の三段選別機の各構成について順次詳細に説明する。
【００２０】
先ず、第１および第２の縦型選別機Ａ、Ｃを連結する揚穀機Ｂについて、図５ないし図８を参照して説明する。揚穀機Ｂは、機台２に立設されかつ内部に揚穀手段２０（図６参照）を配設した揚穀筒体３、米穀等の穀粒を供給するために揚穀筒体３の後壁面の下方に装着された供給ホッパー４、同じく穀粒を供給するために揚穀筒体３の前壁面の下方に供給ホッパー４に対向するように着脱自在に装着された第２の供給ホッパー５、揚穀された穀粒を一時的に貯留するために揚穀筒体３の前壁面の上方に取り付けられた貯留タンク６、および貯留タンク６の下方に設置された計量器９を備え、さらに、揚穀された穀粒を機外の他の部位へ排出移送するための排出配管３５が揚穀筒体３の上方部において貯留タンク６に隣接するように配設されている。
【００２１】
揚穀筒体３において、図６および図７に図示するように、その後壁面の下方に供給ホッパー４に連通するように供給孔１２が設けられ、前壁面の下方には、供給孔１２に相対向して第２の供給ホッパー５に連通するように供給孔１３が設けられている。そして、揚穀筒体３の前壁面の上方には、揚穀された穀粒を放出するための放出孔１５が設けられている。また、揚穀筒体３の底部には、円弧状の底板２７が設けられており、供給ホッパー４または第２の供給ホッパー５から供給孔１２、第２の供給孔１３を介して供給される穀粒が底板２７上に一時的に堆積される。
【００２２】
また、揚穀筒体３内には、揚穀手段としてのバケットコンベア２０が配設され、このバケットコンベア５２は、図６に図示するように、揚穀筒体３の両側壁の下方および上方の部位にそれぞれ回転可能に軸支された駆動プーリー２３および従動プーリー２４と、両プーリー２３、２４間に掛け渡された無端状ベルト２１と、この無端状ベルト２１に所定の間隔をもって取り付けられた複数のバケット２２、２２……とから構成され、駆動プーリー２３は駆動モーター２５（図５）に連結され、従動プーリー２４は無端状ベルト２１の張力を調整しうるように揚穀筒体３の上方の部位において上下方向に移動可能に軸支されている。
【００２３】
供給ホッパー４は、揚穀筒体３の後壁面の下方に設けられた供給孔１２（図６および図７）に対応して装着され、第２の供給ホッパー５は、図７の（ａ）および図５に図示するように、供給孔１２に相対向するように揚穀筒体３の前壁面の下方に設けられた第２の供給孔１３に対応して着脱自在に装着される。この第２の供給ホッパー５は、揚穀筒体３の前壁面の幅と略同じ幅に形成され、そして、その上下方向の長さは受け入れる穀粒の容量を大きくするために供給ホッパー４よりも上下方向に長く形成されている。
【００２４】
第２の供給ホッパー５は、供給ホッパー４から穀粒が供給される際には、使用されず、第２の供給孔１３は蓋体１４（図７の（ａ）参照）または蓋体１４Ａ（図７の（ｂ）参照）によって閉鎖される。図７の（ａ）に図示する蓋体１４は、揚穀筒体３の前壁面に固定されたピン１４ａに沿って上下方向に移動可能に設けられ、第２の供給ホッパー５を使用しない場合には、第２の供給ホッパー５を揚穀筒体３の前壁面から取り外し、蓋体１４を下方にスライド移動させて第２の供給孔１３を閉鎖する。第２の供給ホッパー５から穀粒を供給する場合には、蓋体１４を上方にスライド移動させて第２の供給孔１３を開放し、第２の供給ホッパー５を装着する。なお、蓋体１４のスライド移動は、第２の供給ホッパー５を揚穀筒体３の前壁面に取り付けた状態で行なうことができるように構成することも可能である。また、図７の（ｂ）に図示する他の蓋体１４Ａは、第２の供給ホッパー５を揚穀筒体３から取り外した後に、揚穀筒体３の前壁面にボルト１４ｂ等により取り付けられ、第２の供給孔１３を閉鎖するように構成されている。
【００２５】
揚穀筒体３の前壁面の上部に設けられた放出孔１５には、図５および図８に図示するように、放出孔１５から下方にかつ横方向（図８の（ｂ）においては左方向）に傾斜された傾斜導出管３１が連結され、この傾斜導出管３１の先端部には下方に向け二又状に分岐する分岐管３２が連通されている。二又状の分岐管３２の一方の第１の出口３２ａは、揚穀筒体３の前壁面に取り付けられた貯留タンク６に連結され、他方の第２の出口３２ｂには排出配管３５が接続される。そして、二又状の分岐管３２の中央分岐部には流路切換板３３が回動自在に軸支３２ｃされ、分岐管３２の外部に流路切換板３３を操作するレバー３４が取り付けられており、このレバー３４を操作することにより、流路切換板３３を回動させて揚穀筒体３の放出孔１５から放出される穀粒を貯留タンク６と排出配管３５のいずれかに選択的に送り込むことができるように構成されている。
【００２６】
揚穀筒体３の上方の前壁面に取り付けられた貯留タンク６は、図５に図示するように、揚穀筒体３内の揚穀手段としてのバケットコンベア２０により揚穀された穀粒を一時的に貯留するためのものであり、その上方部は二又状の分岐管３２の第１の出口３２ａに連通され、下方端部には排出口７が設けられ、この排出口７には、ソレノイド等のシャッター作動部材７ｂにより開閉駆動されるシャッター７ａが設けられている。
【００２７】
貯留タンク６の排出口７の下方には袋に収納される穀粒の重量を計測する計量器９が設置されており、この計量器９は、貯留タンク６の排出口７を開閉するシャッター７ａを作動させるシャッター作動部材７ｂおよびこれらを制御する制御手段と電気的に接続され、計量器９の計量結果に応じてシャッター作動部材７ｂの作動を制御するように構成され、計量器９は、その上に載置された袋内に収納される穀粒の重量を計測し、その計測値が所定の値に達すると、信号をシャッター作動部材７ｂへ送り、シャッター７ａを作動させて排出口７を閉鎖する。なお、シャッター７ａの開閉操作は、人手により、計量器９の表示を見ながら行なうようにすることもできる。
【００２８】
また、貯留タンク６の下方端部に設けられた排出口７およびシャッター７ａを貯留タンク６に対して９０°回転し得るように構成することにより、穀粒の計量袋詰めの作業を、適宜の位置で選択的に行なうことができるようにすることも可能である。図５において、符号８は、貯留タンク６の排出口７の周囲に取り付けられ、排出口７から排出される穀粒を袋へ案内して、穀粒の飛散を防止する案内部材であり、符号１０は、電源スイッチや計量袋詰めする重量の設定スイッチを備え、そして重量の設定値や計量器の計量結果を表示する表示器を備えた表示操作盤である。
【００２９】
以上のように、揚穀機Ｂは、供給ホッパー４と第２の供給ホッパー５のいずれかから供給される穀粒をバケットコンベア２０により揚穀し、そして、揚穀された穀粒を揚穀筒体３の放出孔１５から分岐管３２側へ放出し、分岐管３２の流路切換板３３の切換えにより、貯留タンク６と排出配管３５のいずれかへ選択的に送り込むことができるように構成されている。
【００３０】
次に、第１の縦型選別機Ａについて図３および図４を参照して説明する。
【００３１】
第１の縦型選別機Ａにおいて、ベース５１上の中空の基台５２には、図４に図示するように、略円筒状の排気室５７が設けられており、この排気室５７は、吐出口５７ｂを有する吐出側が基台５２の側壁から外方へ突出するとともに吸込口５７ａを有する吸込側が基台５２の中空部Ｓ内に挿入された状態で配設されている。そして、排気室５７の内部には、ベース５１上に配置されたモーター６０により伝動機構を介して回転駆動される排気ファン５８が回転自在に配設され、モーター６０の駆動により排気ファン５８が回転駆動されると、吸込口５７ａから基台５２の中空部Ｓ内さらに中空部Ｓに連通する選別殻体５３内の空気を吸引して吐出口５７ｂに接続された排気ダクト５６から機外へ排気できるように構成されている。
【００３２】
基台５２上に立設された選別殻体５３は、前方上部に貯留タンク５４が設けられ、後方下方側にホッパー５５が設けられており、選別殻体５３内には、基台５２の天板５２ａ上に上面が開放された円筒状の供給筒６６が固定され、その上端部は下部仕切板５３ｂに固定されており、供給筒６６の側壁部にはホッパー５５のシュート５５ａが連通されている。供給筒６６内に同心状に配設された誘導筒６７は、その外周面にホッパー５５より導入された穀粒を下方へ導くための誘導翼６７ａを有するとともに下端部には複数の穀粒誘導口が設けられており、また上方部周縁に設けられたフランジ部６８には上方へ向けて突出する屑粒掻出し羽根６８ａが突設されており、その底板６７ｂには二出力ギアモーター６１の低速回転軸６１ａが固着されている。
【００３３】
選別網体６２は、その下縁部に形成された図示しないスリットを誘導筒６７のフランジ部６８に突設された屑粒掻出し羽根６８ａに係合させることにより誘導筒６７と一体に回転するようにフランジ部６８上に載置されており、その上端部近傍の外周面には、首振り運動しないように選別殻体５３の上部仕切板５３ｃに支軸を介して回転自在に支持された支持ローラ７１が当接されている。
【００３４】
そして、選別網体６２および誘導筒６７内には、外周面に螺旋翼６３ａを有する揚穀螺旋体６３が同心状に配設されており、揚穀螺旋体６３の底板６３ｂに二出力ギアモー６１の高速回転軸６１ｂが固着されているとともにその上板６３ｃは選別殻体５３の上面壁５３ａに回転自在に支持された回転軸７２に固着されている。さらに、選別殻体５３の上部仕切板５３ｃより上方に突出する揚穀螺旋体６３の上端部外周面には、選別された整粒を貯留タンク５４へ掻出すための複数の整粒掻出し羽根６９が突設されている。
【００３５】
また、選別殻体５３内において、図３および図４に図示するように、前方および左右の側壁の各内面にそれぞれ排塵ダクト６４が選別網体６２と干渉しないように偏平に形成されて配設されており、これらの排塵ダクト６４は、選別網体６２に対向する面の上方部分にそれぞれガラリ６５が設けられ、そしてその下端側は基台５２の中空部Ｓに連通されている。これにより、各排塵ダクト６４は基台５２の中空部Ｓを介して排気室５７に連通され、排気室５７の排気ファン５８の作動により、選別殻体５３内の空気を各ガラリ６５を介して吸引し、穀粒の選別中に選別網体６２の網目を通過した穂芒、わら屑、ほこり等の異物をガラリ６５から排塵ダクト６４に吸い込み、基台５２内の排気室５７へ吸引するように構成されている。
【００３６】
選別された整粒を貯留する貯留タンク５４は、図３に図示するように、選別殻体５３の前方上部に設けられており、その下方部に整粒を排出する排出口５４ａが設けられ、そして、この排出口５４ａを開閉するシャッター７７が設けられている。また、貯留タンク５４内へはじき飛ばされてくる整粒を下方へ分散させて落下させるための複数の分散板５４ｃ、５４ｃ…を貯留タンク５４の側壁に取り付け、貯留タンク５４内に貯留される整粒中に混在するわら屑やほこり等の異物を分離し機外へ排出する排塵器７５を貯留タンク５４の上部に配設する。なお、排塵器７５に代えて、貯留タンク５４内部をダクトを介して排気室５７に連通し、整粒中に混在するわら屑やほこり等の異物を排気ファン５８の作用により排気ダクト５６から機外へ排出するようにすることもできる。
【００３７】
したがって、選別網体６２と揚穀螺旋体６３の相対回転により選別網体６２の選別孔（網目）から放出されることなく揚穀される粒径の大きな整粒が、揚穀螺旋体６３の整粒掻出し羽根６９の回動により貯留タンク５４内に向けてはじき飛ばされる際に、整粒中に混在するわら屑やほこり等の異物は、排塵器７５または排気ファン５８の作用により、整粒から分離して機外へ排出され、整粒の品質を向上させることができる。
【００３８】
選別殻体５３の下方側壁部に設けられた小穀粒や屑粒を排出する排出口シュート７３は、図４に図示するように、選別殻体５３の下部仕切板５３ｂに形成された排出口に連通されており、多量の小穀粒や屑粒を速やかに排出できるように通常の排出口シュートよりも大きく形成されている。また、下部仕切板５３ｂは、落下してくる小穀粒や屑粒を屑粒掻出し羽根６８ａの回動範囲に集めることができるように、選別殻体５３側から内方に向けて勾配を付けておく。したがって、選別網体６２の選別孔（網目）から放出され下方へ落下する多量の小穀粒や屑粒は、屑粒掻出し羽根６８ａにより大形の排出口シュート７３を介して速やかに排出される。なお、縦型選別機から排出される小穀粒や屑粒においては、小穀粒や屑粒中に混在するわら屑やほこり等の異物が既に選別殻体５３内の排塵ダクト６４を介して排除されているところであるが、小穀粒や屑粒中に混在するわら屑やほこり等の異物を完全に分離除去して小穀粒や屑粒の品質をさらに向上させるために、排出口シュート７３に唐箕（不図示）を付設することもできる。すなわち、内部に小穀粒や屑粒をジグザグ状に落下させるための複数の流下板を備えた唐箕を基台５２の中空部Ｓを介して排気室５７に連通させて、異物を分離するための分離気流を生じさせることにより、縦型選別機から排出される小穀粒や屑粒を唐箕内に導入し、唐箕内をジグザグ状に落下させる間に、分離気流によって、小穀粒や屑粒中に混在するわら屑やほこり等の異物を分離し、基台５２の中空部Ｓから排気室５７へ吸引し、そして排気ダクト５６を介して機外へ放出するように構成することができる。
【００３９】
縦型選別機Ａの貯留タンク５４の排出口５４ａの下方には計量器７９が設置され、計量器７９はその上に載置される袋内に収納される整粒の重量を計測する。計量器７９は、前述した揚穀機Ｂの計量器９と同様に構成されており、貯留タンク５４の排出口５４ａを開閉するシャッター７７を作動させるシャッター作動部材（不図示）およびこれらを制御する制御手段を電気的に接続され、計量器７９の計量結果に応じてシャッター作動部材の作動を制御するように構成されている。
【００４０】
次に、第２の縦型選別機Ｃについて説明するに、この第２の縦型選別機Ｃは、第１の縦型選別機Ａとは、選別孔の網目サイズが異なる選別網体を用いる点で相違するけれども、その他の構造においては、第１の縦型選別機Ａと同様であり、第２の縦型選別機Ｃの構成部材には前述した第１の縦型選別機Ａの構成部材の説明に採用した符号に“ｘ”を付して表示し、詳細な説明は省略する。なお、この第２の縦型選別機Ｃに供給される穀粒は、第１の縦型選別機Ａにおける選別時に、既に、わら屑やほこり等の異物がほぼ完全に排除されている状態にあるので、わら屑やほこり等の異物を排除する排塵手段を簡略化した縦型選別機を用いることもできる。
【００４１】
以上のように構成された本発明の三段選別機の作動について説明する。
【００４２】
先ず、図１に図示する使用態様につき説明すると、第１の縦型選別機Ａの排出口シュート７３を連結管ｒ1 を介して揚穀機Ｂの供給ホッパー４に連結するとともに揚穀機Ｂの分岐管３２の流路切換板３３を作動させて穀粒の流れを排出配管３５の方へ向ける。そして、第１の縦型選別機Ａの選別網体６２として、ｄ1 （例えば、ｄ1 ＝１．８５ｍｍ）以上の整粒とｄ1 以下の小穀粒を含む屑粒を選別することができる選別孔の網目サイズがｄ1 （＝１．８５ｍｍ）の選別網体を用い、第２の縦型選別機Ｃの選別網体６２ｘとしては、ｄ2 （ｄ2 ＜ｄ1 であり、例えば、ｄ2 ＝１．７０ｍｍ）以上の穀粒とｄ2 以下の未熟粒等の屑粒とに選別するために選別孔の網目サイズがｄ2 （例えば、ｄ2 ＝１．７０ｍｍ）の選別網体を用いる。
【００４３】
第１の縦型選別機Ａにおいて、二出力ギアモーター６１を起動して選別網体６２および揚穀螺旋体６３を相対回転させるとともに、モーター６０を起動して排気ファン５８を回転させる。同時に、揚穀機Ｂおよび第２の縦型選別機Ｃも同様に起動させる。
【００４４】
そして、第１の縦型選別機Ａのホッパー５５に供給された穀粒は、供給筒６６内に入り、誘導筒６７の誘導翼６７ａによって下方へ導かれて誘導筒６７の側壁下方部位に形成された図示しない穀粒誘導口より誘導筒６７内へ導入される。
【００４５】
誘導筒６７内へ導入された穀粒は、相対回転する選別網体６２と揚穀螺旋体６３の相互作用により揚穀され、その間に、選別網体６２の選別孔の大きさｄ1 （＝１．８５ｍｍ）より粒径の小さい穀粒や屑粒、およびわら屑やほこり等の異物は、選別網体６２の網目から選別網体６２と選別殻体５３の間の間隙部へ放出され、前記異物は、排気ファン５８の作用により選別殻体５３内の選別網体６２と選別殻体５３の間の間隙部に生じている空気流によって、それぞれのガラリ６５を介して複数の排塵ダクト６４に吸引され、排塵ダクト６４から排気室５７を経て排気ダクト５６を介して機外へ放出される。
【００４６】
そして、網目の大きさより粒径の小さい小穀粒や屑粒は、下部仕切板５３ｂ上に落下して、屑粒掻出し羽根６８ａにより下部仕切板５３ｂに形成された排出口から大形の排出口シュート７３を介して第１の縦型選別機Ａから排出される。このとき、排出口シュート７３を大形に形成してあることにより、多量の粒径の小さい穀粒や屑粒を速やかに排出することができる。また、排出口シュート７３に唐箕を付設することによって、屑粒中に混在する異物を完全に分離除去することができ、異物を含まない品質の良い小穀粒や屑粒を排出することができる。
【００４７】
一方、選別網体６２の選別孔（ｄ1 ＝１．８５ｍｍ）を通過しない粒径の大きな穀粒（整粒）は、揚穀螺旋体６３の螺旋翼６３ａにより揚穀されて上部仕切板５３ｃ上に放出され、整粒掻出し羽根６９により貯留タンク５４内に向けてはじき飛ばされて貯留タンク５４内に貯留される。貯留タンク５４内へはじき飛ばされる整粒は複数の分散板５４ｃに衝突して分散し下方へ落下するとき、整粒中に混在するわら屑やほこり等の異物が排塵器７５または排気ファン５８の作用によって整粒から分離されて機外へ放出されることにより、異物を含まない品質の良い整粒のみを貯留することができる。そして、整粒の計量袋詰めは、貯留タンク５４の排出口５４ａの下方に設置された計量器７９上に袋を載置し、排出口５４ａのシャッター７７を開放して排出口５４ａから袋内に整粒を排出し、その量が所定の値に達したときに、シャッター７７を閉鎖することにより行なうことができる。
【００４８】
選別網体６２の網目から放出され、そして大形の排出口シュート７３から速やかに排出される小穀粒や屑粒は、連結管ｒ1 を介して、揚穀機Ｂの供給ホッパー４へ導入される。小穀粒や屑粒は、供給ホッパー４から揚穀筒体３内に流下し、バケットコンベア２０により順次上方へ移送される。各バケット２２が上方の従動プーリ２４の周りを回動する際に、各バケット２２内の小穀粒や屑粒は、遠心力により放出孔１５から傾斜導出管３１へ放出され、分岐管３２の流路切換板３３により分岐管３２の第２の出口３２ｂから排出配管３５の方へ移送され、排出配管３５から排出される。
【００４９】
なお、この時に、第１の縦型選別機Ａの排出口シュート７３から排出される小穀粒や屑粒を再選別することなく袋詰めする際には、分岐管３２の流路切換板３３を切換えて、傾斜導出管３１から分岐管３２の第１の出口３２ａを介して貯留タンク６へ移送するようにして貯留タンク６に貯留し、適宜計量器９を用いて計量袋詰めすることができる。
【００５０】
揚穀機Ｂの排出配管３５から第２の縦型選別機Ｃのホッパー５５ｘに供給された小穀粒や屑粒は、第１の縦型選別機Ａにおける選別と同様に、相対回転する選別網体６２ｘと揚穀螺旋体６３ｘの相互作用により揚穀され、その間に、選別網６２ｘの選別孔の網目サイズｄ2 （＝１．７０ｍｍ）より粒径の小さい屑粒は選別網体６２ｘの網目から放出され、下部仕切板５３ｂｘ上に落下して、屑粒掻出し羽根６８ａｘにより下部仕切板５３ｂｘに形成された排出口から大形の排出口シュート７３ｘを介して第２の縦型選別機Ｃから排出される。このとき、排出口シュート７３ｘを大形に形成してあることにより、多量の粒径の小さい穀粒や屑粒を速やかに排出することができる。
【００５１】
一方、選別網体６２ｘの網目サイズｄ2 （＝１．７０ｍｍ）を通過しない粒径の穀粒は、揚穀螺旋体６３ｘの螺旋翼６３ａｘにより揚穀されて上部仕切板５３ｃｘ上に放出され、整粒掻出し羽根６９ｘにより貯留タンク５４ｘ内に向けてはじき飛ばされて貯留タンク５４ｘ内に貯留される。そして、この穀粒の計量袋詰めは、計量器７９ｘを用いて行なうことができる。
【００５２】
以上のように、図１に図示する例では、ｄ1 （＝１．８５ｍｍ）以上の大径の穀粒と、ｄ1 以下であるがｄ2 以上（ｄ2 〜ｄ1 の範囲、すなわち、１．７０ｍｍ〜１．８６ｍｍの範囲）の中径の穀粒と、ｄ2 （＝１．７０ｍｍ）以下の屑粒とに、選別網体の交換等の作業を要することなく、連続して穀粒の三段階の選別を行なうことができ、また、それぞれの穀粒の計量袋詰めを適宜行なうことも可能である。
【００５３】
次に、図２に図示する使用態様につき説明する。本使用態様においては、第１の縦型選別機Ａ、第２の縦型選別機Ｃおよび揚穀機Ｂは前述した図１に図示する配列と同様であり、第１の縦型選別機Ａの排出口シュート７３と揚穀機Ｂの供給ホッパー４に連結する連結管ｒ1 に代えて、連結管ｒ2 を用いて、第１の縦型選別機Ａの貯留タンク５４の排出口５４ａと揚穀機Ｂの第２の供給ホッパー５とを連結する。この時、第１の縦型選別機Ａの貯留タンク５４の排出口５４ａを揚穀機Ｂの供給ホッパー４へ連結しようとすると、第１の縦型選別機Ａと揚穀機Ｂのいずれか一方を移動させるか、連結管を大きく屈曲させて連結させる必要がある。しかし、第１の縦型選別機Ａや揚穀機Ｂの移動には大きな労力が必要であって簡単に移動させることはできず、また、連結管を大きく屈曲させると穀粒の流れが屈曲のために詰まったりするけれども、本発明における揚穀機Ｂは、揚穀筒体３の前後の両壁面にそれぞれ供給ホッパー４、５を設けてあるので、第１の縦型選別機Ａや揚穀機Ｂを移動させることなく、直線的な連結管ｒ2 を用いて、第２の供給ホッパー５に連結することができ、穀粒は流れが阻害されることなくスムーズに揚穀機Ｃへ供給される。
【００５４】
そして、第１の縦型選別機Ａと第２の縦型選別機Ｃの各選別網体においては、第１の縦型選別機Ａの選別網体６２として選別孔の網目サイズがｄ1 （例えば、ｄ1 ＝１．８５ｍｍ）の選別網体を用いて、第１の縦型選別機Ａにおいて、ｄ1 以上の穀粒とｄ1 以下の破砕粒等の屑粒とに選別するようにし、このｄ1 （ｄ1 ＝１．８５ｍｍ）以上の穀粒を、さらにｄ3 （なお、ｄ3 ＞ｄ1 であり、例えば、ｄ3 ＝２．００ｍｍ）以上の大径の穀粒と、ｄ3 以下（すなわち、ｄ1 〜ｄ3 （１．８５ｍｍ〜２．００ｍｍ）の範囲）の穀粒とに選別するために、第２の縦型選別機Ｃの選別網体６２ｘとして選別孔の網目サイズがｄ3 （＝２．００ｍｍ）の選別網体を用いる。
【００５５】
この例における三段選別機の作動は、図１に関連して説明した作動とほぼ同様であり、以下、特に異なるところについてのみ説明する。
【００５６】
第１の縦型選別機Ａのホッパー５５に供給された穀粒は、相対回転する選別網体６２と揚穀螺旋体６３の相互作用により揚穀され、その間に、選別網体６２の選別孔（ｄ1 ＝１．８５ｍｍ）より粒径の小さい屑粒、およびわら屑やほこり等の異物は、選別網体６２の網目から放出されるとともに屑粒中に混在する異物は完全に分離除去され、屑粒のみが排出口シュート７３を介して第１の縦型選別機Ａから排出される。一方、選別網体６２の選別孔（ｄ1 ＝１．８５ｍｍ）を通過しない粒径の大きな穀粒は、揚穀螺旋体６３の螺旋翼６３ａにより揚穀されて、貯留タンク５４内に貯留される。そして、貯留タンク５４の排出口５４ａは連結管ｒ2 に接続されており、この連結管ｒ2 を介して、揚穀機Ｂの第２の供給ホッパー５へ送り込まれる。揚穀機Ｂに供給された穀粒はバケットコンベア２０により揚穀され、揚穀筒体３の放出孔１５から傾斜導出管３１へ放出され、分岐管３２の流路切換板３３により分岐管３２の第２の出口３２ｂから排出配管３５の方へ移送され、排出配管３５から第２の縦型選別機Ｃへ供給される。
【００５７】
この時に、ｄ1 （＝１．８５ｍｍ）以上の粒径を有する穀粒を再選別することなく袋詰めする際には、分岐管３２の流路切換板３３を切換え、傾斜導出管３１から分岐管３２の第１の出口３２ａを介して貯留タンク６へ移送するようにして貯留タンク６に貯留し、適宜計量器９を用いて計量袋詰めすることができる。
【００５８】
揚穀機Ｂの排出配管３５から第２の縦型選別機Ｃのホッパー５５ｘに供給されたｄ1 （＝１．８５ｍｍ）以上の粒径を有する穀粒は、第１の縦型選別機Ａにおける選別と同様に、相対回転する選別網体６２ｘと揚穀螺旋体６３ｘの相互作用により揚穀され、その間に、選別網体６２ｘの選別孔の網目サイズｄ3 （＝２．００ｍｍ）より粒径の小さい穀粒は選別網体６２ｘの選別孔から放出され、下部仕切板５３ｂｘ上に落下して、屑粒掻出し羽根６８ａｘにより下部仕切板５３ｂｘに形成された排出口から大形の排出口シュート７３ｘを介して第２の縦型選別機Ｃから排出される。
【００５９】
一方、選別網体６２ｘの網目サイズｄ3 （＝２．００ｍｍ）より大きい大径の穀粒は、揚穀螺旋体６３ｘの螺旋翼６３ａｘにより揚穀されて上部仕切板５３ｃｘ上に放出され、整粒掻出し羽根６９ｘにより貯留タンク５４ｘ内に向けてはじき飛ばされて貯留タンク５４ｘ内に貯留される。そして、大径の穀粒の計量袋詰めは、計量器７９ｘを用いて行なうことができる。
【００６０】
以上のように、図２に図示する例においても、ｄ1 （＝１．８５ｍｍ）以下の屑粒と、ｄ1 以上であるがｄ3 以下（ｄ1 〜ｄ3 の範囲、すなわち、１．８５ｍｍ〜２．００ｍｍの範囲）の中径の穀粒と、ｄ3 （＝２．００ｍｍ）以上の大径の穀粒とに連続して穀粒の三段階の選別を行なうことができ、また、それぞれの穀粒の計量袋詰めを適宜行なうことも可能である。
【００６１】
上述した各使用態様においては、穀粒を比較的大径の穀粒とやや小さい中径の穀粒とそれ以下の屑粒の三段階に連続して効率よく選別する態様について説明したけれども、本発明の三段選別機においては、米穀の通常の選別により得られる屑米や規格外の米を三段階に選別することも可能である。米穀の通常の選別により得られる屑米や規格外の米は、その粒径に応じてそれぞれ各種の用途に利用することができるものであり、例えば、屑米等を粒径に応じて上、中、下の三段階に選別することにより、「屑米の上」は中米として業務用の食用米等に利用でき、「屑米の中」は煎餅等の米菓類の材料となる加工用米として利用でき、また、「屑米の下」は味噌やビール用の原料米として利用することができる。
【００６２】
そこで、本発明の穀粒等の三段選別機を用いて屑米を三段選別する際には、第１および第２の縦型選別機の各選別網体として、選別孔の網目サイズが例えば１．７０ｍｍと１．５０ｍｍのものをそれぞれ用いる。米穀の通常の選別により得られる屑米や規格外の米を本発明の三段選別機に投入することにより、前述した実施例と同様に、その粒径に応じて、例えば、１．７０ｍｍ以上の中米（「屑米の上」）と１．７０ｍｍ〜１．５０ｍｍの加工用米（「屑米の中」）と１．５０ｍｍ以下の味噌やビール用の原料米（「屑米の下」）等の各種の用途に応じた三段階に連続的にかつ効率よく選別することができる。
【００６３】
以上説明したように、本発明の穀粒等の三段選別機においては、第１の縦型選別機Ａおよび第２の縦型選別機Ｃとこれらを連結する揚穀機Ｂにより、米穀等の穀粒を比較的大径の穀粒とやや小さい中径の穀粒とそれ以下の屑粒等の三段階に、あるいは、屑米を業務用食用米としての中米と加工用米と味噌やビール用の原料米との三段階に、連続して効率良く選別することができ、さらに、三段階に選別した各穀粒はその穀粒中に混在する異物が分離除去され各区分の穀粒の品質を向上させかつ適宜計量袋詰めすることができる。
【００６４】
【発明の効果】
上述したように、本発明の穀粒等の三段選別機によれば、下方に２個の供給ホッパーを有しかつ上方を流路切換板を有する分岐管を介して貯留タンクと排出配管に連通する揚穀筒体を備えた揚穀機を用いて、選別孔の網目サイズが異なる選別網体をそれぞれ装着した第１および第２の縦型選別機を連結し、第１および第２の縦型選別機により連続して穀粒をそれぞれ選別することにより、各種の穀粒を三段階に、すなわち、比較的大径の穀粒とやや小さい中径の穀粒とそれ以下の屑粒等の三段階に、あるいは屑米の上中下の三段階に、連続して効率良く選別することができ、さらに、三段階に選別された各穀粒はその穀粒中に混在する異物が分離除去されて各区分の穀粒の品質を向上させかつ適宜計量袋詰めするなど穀粒をスムーズに処理することができる。
【図面の簡単な説明】
【図１】本発明の穀粒等の三段選別機の一使用態様に基づく構成を概略的に図示する構成図である。
【図２】本発明の穀粒等の三段選別機の他の使用態様に基づく構成を概略的に図示する構成図である。
【図３】本発明の穀粒等の三段選別機における縦型選別機を図４におけるＸ−Ｘ線に沿って破断して示す断面図である。
【図４】本発明の穀粒等の三段選別機における縦型選別機を図３におけるＹ−Ｙ線に沿って破断して示す断面図である。
【図５】本発明の穀粒等の三段選別機における揚穀機を前方からみた斜視図である。
【図６】図５に図示する揚穀機の揚穀筒体を一部破断して示す概略的な斜視図である。
【図７】（ａ）は図６に図示する揚穀機の揚穀筒体の下方部分と２個の供給ホッパーとの関係を側壁を破断して示す概略的な斜視図であり、（ｂ）は一方の第２の供給ホッパーを取り外して第２の供給孔を閉鎖した状態の他の態様を示す概略的な斜視図である。
【図８】（ａ）は図５に図示する揚穀機の上方部分の概略的な斜視図であり、（ｂ）は（ａ）におけるＡ面に沿って二又状の分岐管を破断して示す断面図である。
【図９】従来の縦型選別機を模式的に図示する断面図である。
【符号の説明】
Ａ    第１の縦型選別機
Ｂ    揚穀機
Ｃ    第２の縦型選別機
３    揚穀筒体
４    供給ホッパー
５    第２の供給ホッパー
６    貯留タンク
７    排出口
９    計量器
１０    表示操作盤
１２    供給孔
１３    第２の供給孔
１５    放出孔
２０    バケットコンベア
２１    無端状ベルト
２２    バケット
２３    駆動プーリー
２４    従動プーリー
３１    傾斜導出管
３２    （二又状の）分岐管
３２ａ    第１の出口
３２ｂ    第２の出口
３３    流路切換板
３５    排出配管
５３    選別殻体
５４    貯留タンク
５４ａ    排出口
５５    ホッパー
５６    排気ダクト
５７    排気室
５８    排気ファン
６１    二出力ギアモーター
６２    選別網体
６３    揚穀螺旋体
６３ａ    螺旋翼
６４    排塵ダクト
６８ａ    屑粒掻出し羽根
６９    整粒掻出し羽根
７３    排出口シュート
７５    排塵器
７７    シャッター
７９    計量器
【図１】
0004049918.tif 000002
【図２】
0004049918.tif 000003
【図３】
0004049918.tif 000004
【図４】
0004049918.tif 000005
【図５】
0004049918.tif 000006
【図６】
0004049918.tif 000007
【図７】
0004049918.tif 000008
【図８】
0004049918.tif 000009
【図９】
0004049918.tif 000010